(57)【要約】【課題】  冷蔵庫に良好的な食品保存機能を付与するほか、窒素増加機能をさらに有させることによって、もっと優れる食品保存品質を取得できる、冷蔵庫鮮度保持構造を提供する。【解決手段】  冷蔵庫の冷蔵室１１の内部に、気体分離膜装置２４を配置し、その気体分離膜装置２４には、ポンプ２５と排気管２６が配置され、それらによって、その冷蔵庫の内部の前記気体分離膜装置２４の気体分離膜によって生成される酸素成分を前記排気管２６と、その冷蔵庫本体１０に設けられる酸素排気口２７より強引に冷蔵庫外部へ排気させる。【選択図】        図１
0003103849.tif 000002
【実用新案登録請求の範囲】
【請求項１】
冷蔵庫内部に気体分離膜装置を配置し、その気体分離膜装置に、ポンプと排気管とを接続することによって、その冷蔵庫の内部におけるその気体分離膜装置の生成する酸素成分を前記排気管より強引に冷蔵庫の外部へ排気させることを特徴とする冷蔵庫鮮度保持構造。
【請求項２】
前記冷蔵庫には、冷蔵庫本体を備えており、その冷蔵庫本体中に冷蔵室と冷凍室が設けられ、それらの冷蔵室と冷凍室とが中間壁部によって分割され、その中間壁部の上下側にそれぞれ第一のブロー・バック・ルートと第二のブロー・バック・ルートとが形成され、また、前記冷蔵室の下方にはコンプレッサーが配置されることを特徴とする、請求項１に記載の冷蔵庫鮮度保持構造。
【請求項３】
前記冷蔵庫本体には、酸素成分を排気できる酸素排気口が形成されることを特徴とする、請求項２に記載の冷蔵庫鮮度保持構造。
【請求項４】
前記冷蔵庫本体の前側には、二つのドア同士が枢着しており、それらは、それぞれ前記の冷蔵室と前記の冷凍室に対応されており、それらの冷蔵室と冷凍室とを閉鎖または開放させることができ、また、前記冷凍室の後側には、冷却装置とファン装置が配置され、それらによって、前記冷凍室に吸い込まれる空気を冷却することを特徴とする、請求項２に記載の冷蔵庫鮮度保持構造。
【請求項５】
前記排気管の一端が前記コンプレッサーに隣接することを特徴とする、請求項２に記載の冷蔵庫鮮度保持構造。
【請求項６】
前記第二のブロー・バック・ルートには気体濃度検出装置が配置されることを特徴とする、請求項２に記載の冷蔵庫鮮度保持構造。
【考案の詳細な説明】
【技術分野】
【０００１】
本考案は、冷蔵庫鮮度保持構造に係わり、特に電気冷蔵庫の内部に気体分離膜装置が取り付けられ、冷蔵庫の内部の酸素と窒素とを分離してからその中の酸素を冷蔵庫の外部へ排出させ、冷蔵庫の内部の窒素含有成分の量を増加させることによって、冷蔵庫に不活性気体を充填することにより、食品の保存品質を向上する効果（酸化作用を防止する効果）を獲得することができる、冷蔵庫鮮度保持構造に関するものである。
【背景技術】
【０００２】
さて、冷蔵庫は、その主要な機能が、食品を貯蔵及び冷蔵、冷凍するものであり、それによって食品の保存期限を長びくするものであり、しかしながら、一般の従来性の冷蔵庫の場合では、その食品の保存期限には、決まったリミットを有し、長期間保存の要求を満足できないことが現状である。
【０００３】
前記の従来の冷蔵庫のそれぞれの課題に鑑みて、本考案の考案者は、その多年間、当該事業を従事してきた経験に基づいて、良しにさらに良しを求める精神によって、積極的に研究改良を進めた結果、とうとう、本考案の“冷蔵庫鮮度保持構造”を提出するに至った。
【考案の開示】
【考案が解決しようとする課題】
【０００４】
本考案は、冷蔵庫に良好的な食品保存機能を付与するほか、窒素増加機能をさらに有させることによって、もっと優れる食品保存品質を取得できる、冷蔵庫鮮度保持構造を提供することをその主要な解決しようとする課題とする。
【課題を解決するための手段】
【０００５】
前記の目的を達成するためには、本考案は、冷蔵庫の内部に気体分離膜装置を配置し、その冷蔵庫の内部では、その気体分離膜装置の生成する酸素成分が、強引に冷蔵庫外部へ排出され、その冷蔵庫内部の窒素含有成分の量を増加することによって、窒素により食品の鮮度を確保する効果を達成する。
【０００６】
また、本考案は、さらに、冷蔵庫のブロー・バック・ルートに気体濃度検出装置を配置し、その冷蔵庫の内部の窒素の濃度が不足になったり、高すぎるようになったりする場合に、電子回路を介してその気体分離膜装置を遮断または起動させるようにする。
【０００７】
また、本考案は、排気管より酸素を排気する場合に、気体をコンプレッサーに経由させ、コンプレッサーの放熱効率を向上させるようにする。
【０００８】
さらに、本考案の特徴と技術内容を解明させるために、以下に添付図面を参照しながら、本考案の優れる実施の形態を詳細的で具体的に説明するが、それらの詳細な説明による具体的な構成は単に本考案の実施可能な実施例に過ぎなく、本考案の実質的な範囲を狭義的に制限するものではないことが言うまでもないことである。
【０００９】
請求項１の考案は、冷蔵庫内部に気体分離膜装置を配置し、その気体分離膜装置に、ポンプと排気管とを接続することによって、その冷蔵庫の内部におけるその気体分離膜装置の生成する酸素成分を前記排気管より強引に冷蔵庫の外部へ排気させることを特徴とする冷蔵庫鮮度保持構造としている。
請求項２の考案は、前記冷蔵庫には、冷蔵庫本体を備えており、その冷蔵庫本体中に冷蔵室と冷凍室が設けられ、それらの冷蔵室と冷凍室とが中間壁部によって分割され、その中間壁部の上下側にそれぞれ第一のブロー・バック・ルートと第二のブロー・バック・ルートとが形成され、また、前記冷蔵室の下方にはコンプレッサーが配置されることを特徴とする、請求項１に記載の冷蔵庫鮮度保持構造としている。
請求項３の考案は、前記冷蔵庫本体には、酸素成分を排気できる酸素排気口が形成されることを特徴とする、請求項２に記載の冷蔵庫鮮度保持構造としている。
請求項４の考案は、前記冷蔵庫本体の前側には、二つのドア同士が枢着しており、それらは、それぞれ前記の冷蔵室と前記の冷凍室に対応されており、それらの冷蔵室と冷凍室とを閉鎖または開放させることができ、また、前記冷凍室の後側には、冷却装置とファン装置が配置され、それらによって、前記冷凍室に吸い込まれる空気を冷却することを特徴とする、請求項２に記載の冷蔵庫鮮度保持構造としている。
請求項５の考案は、前記排気管の一端が前記コンプレッサーに隣接することを特徴とする、請求項２に記載の冷蔵庫鮮度保持構造としている。
請求項６の考案は、前記第二のブロー・バック・ルートには気体濃度検出装置が配置されることを特徴とする、請求項２に記載の冷蔵庫鮮度保持構造としている。
【考案の効果】
【００１０】
本考案は、電気冷蔵庫内に気体分離膜装置２４を取り付け、冷蔵庫内部における酸素成分と窒素成分とを分離してから、その酸素を冷蔵庫外部へ排気させ、その冷蔵庫の内部の窒素の成分の量を増加させることによって、その冷蔵庫内に不活性気体を充填することにより、その冷蔵庫に良好的な食品貯蔵機能を付与するとともに、窒素濃度を増加する機能を有させることによって、もっと優れる食品保存効果を提供する。窒素は不活性気体であり、色や味や毒性などを一切有しない。本考案の気体分離膜装置２４の窒素の取得は、空気中に含有される天然の窒素を取り込むことによって、冷蔵庫内の窒素の濃度を増加させながら、酸素の濃度を減少させることができるので、食品の酸化速度を緩慢化させることができるため、食品の鮮度を長く保持させる効果を達成する。
【考案を実施するための最良の形態】
【００１１】
図１と図２に示すように、本考案は、一種の冷蔵庫鮮度保持構造を提供し、その中、その冷蔵庫には、冷蔵庫本体１０を備えており、その冷蔵庫本体１０においては、食品を貯蔵するための冷蔵室１１と冷凍室１２が設けられ、それらの冷蔵室１１と冷凍室１２とが水平方向に延伸される中間壁部１３によって隔離され、その中間壁部１３の上下両側にそれぞれ第一のブロー・バック・ルート（Ｆブロー・バック・ルート）１４と、第二のブロー・バック・ルート（Ｒブロー・バック・ルート）１５が設けられている。
【００１２】
前記冷蔵庫本体１０の前側には、二つのドア同士１６，１７が枢着しており、それらは、それぞれ前記の冷蔵室１１と前記の冷凍室１２に対応されており、それらの冷蔵室１１と冷凍室１２とを閉鎖または開放させることができる。また、前記冷凍室１２の後側には、冷却装置１８が配置され、それによって、前記冷凍室１２に吸い込まれる空気を冷却し、その冷却装置１８の上方には、ファン装置１９が配置され、それによって、冷却装置１８により熱交換される冷却用空気を前記冷凍室１２内へ流れ込ませながら循環させる。
【００１３】
その冷蔵室１１には、複数枚の食品を載置可能な載置板同士２０が配置され、それらによってその冷蔵室１１を複数の小さい空間箇所に分割形成させる。その冷蔵室１１の上部においては、低温保存室２１が形成され、所定の温度にて特定の食品を保存できる。また、その冷蔵室１１の下部においては、野菜保存室２２が形成され、その野菜保存室２２の下方においては、コンプレッサー２３が配置され、そのコンプレッサー２３が、冷却装置１８における冷媒をシステム内において流通させることを作用でき、また、気化後の冷媒の圧力を向上できる。前記に説明した冷蔵庫の構造は従来技術と殆ど変わらないので、且つ、本考案の請求する範囲ではないため、ここではくどくどしい説明を省略する。
【００１４】
本考案は、主にその冷蔵庫の冷蔵室１１の内部に、気体分離膜装置２４を配置し、その気体分離膜装置２４には、ポンプ２５と排気管２６が配置され、それらによって、その冷蔵庫の内部の前記気体分離膜装置２４の気体分離膜によって生成される酸素成分を前記排気管２６と、その冷蔵庫本体１０に設けられる酸素排気口２７より強引に冷蔵庫外部へ排気させる。
【００１５】
また、本考案は、その冷蔵庫内の第二のブロー・バック・ルート（Ｒブロー・バック・ルート）１５に、気体濃度検出装置２８を配置し、その冷蔵庫の内部の窒素の濃度が、不足になったり高すぎるようになったりする場合に、電子回路を介して、前記気体分離膜装置２４を遮断または起動する。
【００１６】
また、本考案の排気管２６の一端が、前記コンプレッサー２３に隣接するので、酸素が前記排気管２６より排気される場合に、その気体が前記コンプレッサー２３を通過することがあり、そのコンプレッサー２３の放熱効率を向上できる。
【００１７】
本考案の場合では、その気体分離膜装置２４を冷蔵庫の内部に配置し、その冷蔵庫のドア同士１６，１７を打開する場合に、気体分離膜装置２４をついでに起動させ、そのドア同士１６，１７を閉鎖する場合に、その気体分離膜装置２４が運転し始め、その冷蔵庫の内部の空気が前記気体分離膜装置２４によって酸素を分離し出されて、且つ強引に冷蔵庫外部へ排気されるので、その冷蔵庫の内部の窒素の成分の量を増加でき、それに対して、酸素の濃度が減少されるようになる。
【００１８】
また、前記の気体分離膜装置２４が所定の時間運転されると、前記ブロー・バック・ルート１５に取り付けられる気体濃度検出装置２８が予め決まられた窒素の濃度に達することを検出した場合に、その運転を中止する。
【００１９】
この気体分離膜装置２４には、ポンプ２５が取り付けてあるので、片側の負圧に真空状に形成させ、空気中における分子の溶解しやすい特性とその拡散性を利用することによって、空気中に２２％占める酸素を窒素に対して、その通過速度を２．５倍にも及ばせル用に処理することによって、気体分離膜を通過させる速度を異ならせることにより、酸素と窒素とを分離してそれぞれ酸素と窒素を取得する。
【００２０】
前記に説明したように、本考案は、滅多にない優れる実用新案の製品であり、極産業上の利用性に富み、且つ新規性と進歩性とを有するので、フルに実用新案登録の出願するための要件を満たすので、法に従って登録出願を提起するが、ご査察の上、早期に登録を受けるよう宜しくお願い申し上げますこと。
【００２１】
また、前記に説明した具体的な構成は、単に本考案の実施可能な実施例に過ぎなく、本考案の請求の範囲の制限になるものではなく、本考案の明細書と図面と請求の範囲に開示される技術の要旨に基づいて実施されるすべての相同の効果を有する構成の変化など、本考案の主張する範囲に該当すると認められるべきことが言うまでもないことである。
【図面の簡単な説明】
【００２２】
【図１】本考案の構成を示す断面図である。
【図２】本考案の使用状態を示す説明図である。
【符号の説明】
【００２３】
１０  冷蔵庫本体
１１  冷蔵室
１２  冷凍室
１３  中間壁部
１４  第一のブロー・バック・ルート
１５  第二のブロー・バック・ルート
１６  ドア
１７  ドア
１８  冷却装置
１９  ファン装置
２０  載置板
２１  低温保存室
２２  野菜保存室
２３  コンプレッサー
２４  気体分離膜装置
２５  ポンプ
２６  排気管
２７  酸素排気口
２８  気体濃度検出装置
【図１】
0003103849.tif 000003
【図２】
0003103849.tif 000004